(57)【要約】【課題】基板にクリームはんだを印刷する印刷マスクを効果的に清掃可能な印刷マスクの清掃方法を提供する。【解決手段】基板の一面にクリームはんだを印刷する印刷マスク３０の清掃方法であって、印刷マスク３０の上面に洗浄用布５０を敷いた状態で溶剤５２を上方から滴下乃至吹き付ける溶剤処理工程と、前記溶剤処理工程の後で、印刷マスク３０の下面を乾式ペーパー５６で拭きながら印刷マスク３０の下方に配置された吸引ユニット５５で洗浄用布５０にしみ込ませた溶剤５２を吸引して印刷マスク３０の開口及びその周辺部の付着物を除去する吸引清掃工程とを備えている。【選択図】図７
2006272970.tif 000002
【特許請求の範囲】
【請求項１】
基板の一面にクリームはんだを印刷する印刷マスクの清掃方法であって、
前記印刷マスクの上面に洗浄用布を敷いた状態で溶剤を上方から滴下乃至吹き付ける溶剤処理工程と、
前記溶剤処理工程の後で、前記印刷マスクの下面を乾式ペーパーで拭きながら前記印刷マスクの下方に配置された吸引手段で前記洗浄用布にしみ込ませた溶剤を吸引して前記印刷マスクの開口及びその周辺部の付着物を除去する吸引清掃工程とを備えることを特徴とする印刷マスクの清掃方法。
【請求項２】
前記印刷マスクは、前記基板の一面における表面実装部品搭載領域及びベアチップ搭載領域にクリームはんだを印刷するための開口を有している請求項１記載の印刷マスクの清掃方法。
【発明の詳細な説明】
【技術分野】
【０００１】
本発明は、基板の一面にクリームはんだを印刷する印刷マスクの清掃方法に関する。
【背景技術】
【０００２】
近年、大容量、高速データ通信に必要な実装技術としてフリップチップ接合が挙げられる。従来は、主にワイヤーボンディング法を用いて、パッケージ化やフェイスアップでベアチップを直接基板に実装していたが、高周波化が進みワイヤーボンディングの配線長等が特性に与える影響が大きくなることで、配線長を短くすることができるフリップチップ接合の必要性が増している。また、機器の小型化、薄型化、軽量化等の観点からも注目されている。フリップチップ接合の方法としては、超音波、荷重、熱を利用したものが挙げられ、それぞれ、接合材等によって使い分けられている。接合材としてはんだを用いた主なフリップチップ接合の方法を下記に示す。
【０００３】
【特許文献１】特開平１１−２７４２０９号公報
【特許文献２】特開平１１−３４０２７０号公報
【特許文献３】特開平１１−２９７８８６号公報
【特許文献４】特開平１１−１０３１５５号公報
【特許文献５】特開平１１−６７８２３号公報
【特許文献６】特開平１０−４１２７号公報
【特許文献７】特開平８−２０４３２２号公報
【特許文献８】特開２００１−３０８２６８号公報
【０００４】
ａ．回路が形成されたウエハー上でめっき法や印刷法（特許文献１、特許文献２）によってバンプを形成し、個片に切断することによりベアチップを作る。バンプつきのベアチップを配線基板に接合するときは、基板電極又はバンプにフラックス塗布を行い、ベアチップ搭載、リフローの順で行う。
【０００５】
ｂ．回路が形成されたウエハーを個片に切断することによりベアチップを製作する。このときはベアチップにはバンプ加工が行われていない。ベアチップを配線基板に接続するときは、あらかじめ、配線基板にフラックスとはんだボールを供給（特許文献３の方法やはんだボール搭載機等）しておき、その上にベアチップを載せリフローすることにより接続を行う。
【０００６】
ｃ．特許文献４のように基板上のレジスト内にクリームはんだを塗布、溶融、硬化しレジストを除去することにより、はんだバンプを形成する。
【０００７】
ｄ．特許文献５のように配線基板上にめっき及びエッチングでバンプを形成する。
【０００８】
ｅ．特許文献６のようにはんだペーストを充填した凹板を基板に重ね、その状態で加熱、冷却することにより、基板にはんだバンプを形成する。
【０００９】
ｆ．特許文献７のように印刷法にて基板にバンプを形成する。
【００１０】
ｇ．特許文献８のように基板側に印刷法にてクリームはんだを印刷し、バンプ付きチップを搭載した後、リフローすることにより接合を行う。
【００１１】
上記ａ．の場合、回路を形成した後ウエハーにバンプを形成するため、パワーアンプモジュール等に使用されるＧａＡｓ等の脆い化合物半導体のウエハーでは、ウエハーに負荷が掛かることでマイクロクラック等の発生要因になる可能性が考えられる。特に印刷法の場合、スキージによってウエハーに直接、圧力が掛かるためマイクロクラックの発生要因になる可能性が非常に高い。また、バンプを形成しないときに比べ製造コストの上昇につながる。
【００１２】
上記ｂ．の場合、ウエハーにバンプを形成しないため、脆い化合物半導体等には有利である。またバンプ加工の工程が入らないため、ベアチップのコストを抑えられる。しかし、バンプ形成するためには、専用のはんだボール搭載機等が必要となり、工程数増加に伴い製造コストの上昇につながる。一般に市販されているはんだボール搭載機の場合、製品の品種別に高価な専用治具（２〜３百万円／１治具）が必要となるため、製造コスト低下は望めない。
【００１３】
上記ｃ．の場合、配線基板製作時のコスト上昇につながり、基板購入コストの上昇につながる。
【００１４】
上記ｄ．の場合、従来から使用していたプリント配線基板と異なるため、配線基板のコスト上昇につながる。また、電極やパターンを印刷で形成するセラミック基板等にバンプ接続を行うことができない。
【００１５】
上記ｅ．の場合、はんだペーストを充填する専用の凹版が必要となることや、凹版も一緒に加熱するため、凹版の熱容量分、加熱温度を上昇させることになり基板等に熱的ダメージを与えることになる。
【００１６】
上記ｆ．の場合、配線基板にベアチップと表面実装部品（ＳＭＤ）の両者を搭載する場合、ベアチップ用のバンプ印刷を行った後に、再度、表面実装部品用の印刷を行う必要があり、印刷工程が２回必要となるため、工程数が増え製造コストを抑えることが難しくなると考えられる。
【００１７】
上記ｇ．の場合、バンプ付きベアチップを使用するため、ベアチップがＧａＡｓ等の脆い化合物半導体であっても、それにバンプ形成する必要があり、マイクロクラック等が発生する可能性がある。また、ベアチップを搭載するときは、はんだが未溶融状態であるため、クリームはんだの溶剤分がリフロー時に基板とベアチップの隙間で毛細管現象が起こし、ブリッジやキャピラリーボール（はんだボール）を発生させる可能性が考えられる。
【００１８】
近年、回路の高周波化が進みつつあり、ベアチップを作製する半導体ウエハーの材質としてＧａＡｓ等の非常に脆い化合物半導体が使用されるようになってきた。また、高周波化が進むと従来は問題にならなかった配線長さにおいても極力短くする必要があり、フリップチップ接合の必要性が高まってきている。フリップチップ接合に使用される化合物半導体ウエハー等の場合、バンプ加工時等に負荷が掛かるとマイクロクラック等が発生する可能性があり、出来るだけウエハーに負荷が掛からないようにすることが重要である。
【００１９】
そこで、基板にチップ部品等の表面実装部品とベアチップの両方を搭載する場合に、表面実装部品のはんだリフローによる実装の際にベアチップ接合のためのはんだバンプを基板側に形成することで、表面実装部品接合用はんだとバンプ用のはんだを同時に基板に印刷処理しておくことを可能にし、製造コストの低減とベアチップが化合物半導体等であってもストレス抑制を図って、マイクロクラック等の発生防止を図ることが要望される。
【００２０】
また、上記の場合に、基板へのクリームはんだの印刷には印刷マスクを用いるが、良好なバンプ形成にはクリームはんだ塗布量のばらつきが少ないことが要求されるから、印刷後の印刷マスクを清掃して、版抜け（クリームはんだが開口を通過すること）が常に安定して行われるようにする必要がある。
【００２１】
従来、スクリーン印刷におけるクリーニング装置としては、下記特許文献９があり、スクリーン下面を移動するクリーニング刃及び吸引管による空気吸引を併用した構造が知られている。
【００２２】
【特許文献９】特開平１１−５８６７８号公報
【発明の開示】
【発明が解決しようとする課題】
【００２３】
本発明の目的は、上記の点に鑑み、基板にクリームはんだを印刷する印刷マスクを効果的に清掃可能な印刷マスクの清掃方法を提供することにある。
【００２４】
本発明のその他の目的や新規な特徴は後述の実施の形態において明らかにする。
【課題を解決するための手段】
【００２５】
上記目的を達成するために、本発明は、基板の一面にクリームはんだを印刷する印刷マスクの清掃方法であって、
前記印刷マスクの上面に洗浄用布を敷いた状態で溶剤を上方から滴下乃至吹き付ける溶剤処理工程と、
前記溶剤処理工程の後で、前記印刷マスクの下面を乾式ペーパーで拭きながら前記印刷マスクの下方に配置された吸引手段で前記洗浄用布にしみ込ませた溶剤を吸引して前記印刷マスクの開口及びその周辺部の付着物を除去する吸引清掃工程とを備えることを特徴としている。
【００２６】
前記印刷マスクは、前記基板の一面における表面実装部品搭載領域及びベアチップ搭載領域にクリームはんだを印刷するための開口を有していてもよい。
【発明の効果】
【００２７】
本発明に係る印刷マスクの清掃方法によれば、湿式洗浄用布と乾式ペーパーと吸引方式による印刷マスク清掃によって、微小印刷用のマスク清掃が可能である。
【発明を実施するための最良の形態】
【００２８】
以下、本発明を実施するための最良の形態として、印刷マスクの清掃方法の実施の形態を図面に従って説明する。
【００２９】
図１乃至図７を用いて本発明の実施の形態として、ベアチップ実装方法及びこの方法に適用した場合の印刷マスクの清掃方法について説明する。
【００３０】
図１はチップ部品等の表面実装部品（ＳＭＤ）及び化合物半導体等のベアチップの配線基板への搭載手順を示し、図２は従来の技術の項目で説明した従来工法ａ．及び従来工法ｂ．の場合と、本実施の形態の場合の表面実装部品とベアチップの実装工程フローを対比した工程フローを示し、図３乃至図５は印刷マスクを示し、図６は配線基板の支持構造を示し、図７はクリームはんだ印刷のための印刷マスクの清掃方法を示す。
【００３１】
図２の印刷工程＃１において、配線基板の一面の表面実装部品搭載領域へのクリームはんだ印刷と、ベアチップ搭載領域へのクリームはんだ印刷とを１つの印刷マスクを用いて同時に実行する（クリームはんだのスクリーン印刷で行う）。この結果、図１（Ａ）のように樹脂基板やセラミック基板等の配線基板１の上面の電極パッド２，３上に表面実装部品（ＳＭＤ）２０を搭載するための表面実装部品用クリームはんだ印刷層１２が表面実装部品搭載領域に、ベアチップ用はんだバンプ形成のためのバンプ用クリームはんだ印刷層１３がベアチップ搭載領域にそれぞれ形成される。
【００３２】
図３のように、前記印刷工程＃１に用いる印刷マスク３０は表面実装接合用開口３２とバンプ接合用開口３３の両者を有するが、表面実装部品用のクリームはんだ量と比較してバンプ用は非常に少ないため、印刷マスク３０においてバンプ接合用開口３３のマスク厚みと、開口形状及び寸法を工夫して、はんだ量のコントロールを行う。バンプ接合用開口３３周辺部のマスク厚を変える方法としてハーフエッチング処理等を行い、同一マスクで２種類の厚みがあるマスク構造とする。つまり、表面実装接合用開口３２のマスク厚みよりも前記バンプ接合用開口３３のマスク厚みを薄くして、図１（Ａ）の配線基板面における表面実装部品搭載領域へのクリームはんだ印刷層１２の厚みよりもベアチップ搭載領域へのクリームはんだ印刷層１３の厚みを薄く設定する。
【００３３】
前記印刷マスク３０の開口形状については、図４（Ａ）のように開口３２，３３の角部（コーナー）があると角部にクリームはんだの粒子が残り、印刷したクリームはんだ量のばらつきにつながるため、図４（Ｂ）のように角部がない長円形状（半円同士を平行な直線で接続した形状）を採用し、クリームはんだの版抜け性を向上させ、開口部にクリームはんだ粒子が残りにくいようにする。但し、開口ピッチに余裕がある場合には円形の開口でもよい。
【００３４】
前記印刷マスク３０の開口３２，３３の開口寸法については、図５（Ａ）の円形パッドの場合、同図（Ｂ）の方形パッドの場合で示すように、はんだ溶融時の凝集力よって、電極パッド２，３上に印刷したはんだが確実に戻る寸法（パッド寸法（直径又は辺）の１．６倍以下）とした。
【００３５】
さらに、前記印刷マスク３０の製作方法においても、開口内壁面の粗さが少ないもの（算術平均粗さ：Ｒａ≦０．３μｍ程度）を製作し版抜け性を向上させた。本実施の形態で採用したマスク開口の壁面粗さと、一般に使用されているＳＭＴ用のアディティブマスク、レーザーマスクの壁面粗さの値を以下の表１に示す。但し、表１中、Ｒｙ：最大粗さ（測定範囲における高低差の最大値）である。
【００３６】
【表１】
2006272970.tif 000003
【００３７】
本実施の形態で使用する印刷マスクの開口壁面粗さは、アディティブマスクよりも滑らかな開口壁面、具体的には、Ｒａ＜０．８４、かつＲｙ＜６．５４であることが必要であり、好ましくは、表１の「採用したマスク」で示されるように、横方向及び縦方向共にＲａ≦０．３μｍを満足するように設定するのがよい。
【００３８】
クリームはんだについては、微小印刷用の粒径が５〜１５μｍの真球粉で、印刷時のローリング性、版抜け時の形状、版抜け後の形状保持性等の実験結果より、粘度２６０±３０Ｐａ・ｓと通常使用されている粘度（２００Ｐａ・ｓ前後）よりも硬いものを使用することが好ましい。スクリーン印刷装置側においても、前記配線基板、前記印刷マスク、スキージ走りの平行精度をＲ２０μｍ以内（真の平行からのずれが２０μｍ以内）とすることが好ましい。
【００３９】
なお、配線基板の支持固定構造としては、図６（Ａ）の基板固定テーブル５の平坦面上に配線基板１を載置、固定する全面受け構造や、同図（Ｂ）の固定テーブル５より支持手段６を立設し、支持手段６で配線基板１を支えるポイント受け構造が一般的であるが、本実施の形態では、印刷後の印刷マスク清掃の工夫により、版抜け（クリームはんだが開口を通過すること）が常に安定して行われるようにするため、同図（Ｃ）の掘り込み基板固定テーブルのように、基板固定テーブル５に配線基板１の厚さに一致する深さに掘り込んだ基板支持面７を形成し、基板１上面と基板固定テーブル５上面の高さを同一にし、且つ印刷マスク上を移動してクリームはんだを塗布するためのスキージのサイズを被印刷物となる配線基板幅よりも大きくすることによって、印刷マスク上のクリームはんだをスキージによって配線基板サイズより広い範囲で完全にかきとる方法を採用している。その結果、印刷マスク上面からの清掃を可能にしている。
【００４０】
印刷マスクの清掃方法は、図７に示すように、配線基板に接触する印刷マスク３０上に洗浄用布５０をしき、マスク３０の開口形成領域全体を覆う。その布５０上にノズル５１から均一に溶剤５２を定量滴下（又は吹き付け）する溶剤処理工程を実行後、マスク３０下側より吸引ユニット５５と乾式ペーパー５６の繰り出し、巻き取り手段５７を備えた下部ユニット５８をマスク下面に沿って移動させ、布５０にしみこませた溶剤５２を吸引ユニット５５で吸引しながら、開口及びその周辺部等に付着したはんだ粒子やフラックスを乾式ペーパー５６で拭いて除去する（吸引除去工程）。その後、マスク３０上部の洗浄用布５０を待避させ、自然放置又はエアー、窒素ガス等にて乾燥を行い清掃を終了する。
【００４１】
図２の印刷工程＃１によるクリームはんだのスクリーン印刷によって、表面実装部品接合用とバンプ接合用クリームはんだを同時に印刷した後、図１（Ａ）の配線基板１上に表面実装部品２０を搭載し、リフロー炉に通炉してはんだリフローを実行することにより、図１（Ｂ）のように表面実装部品２０の配線基板１へのはんだ接合と、はんだバンプ２３を同時に形成する。つまり、はんだバンプ２３を有するベアチップ実装用基板が得られる。
【００４２】
上記図３乃至図６、表１で説明した印刷マスクの工夫や使用するクリームはんだの工夫等、さらに図７の印刷マスクの清掃方法の採用等による版抜けの改善効果により、クリームはんだ印刷時における不具合（ブリッジ等）やはんだ量のばらつきが抑えられ、バンプ径１００μｍ、ピッチ２００μｍ、バンプ高さばらつき１０μｍ以下というバンプ形成をクリームはんだ印刷法で可能にした。これにより、表面実装部品用とバンプ用はんだを同時に印刷する工法を実現できた。
【００４３】
また、近年、環境対策として使用されるようになったＰｂフリーはんだ（無鉛はんだ）を用いて、上記工法で径１００μｍ、ピッチ２００μｍのバンプ形成を行い、上記同様に高さばらつきが小さいバンプ形成が可能であることを確認した。
【００４４】
図１（Ｂ）のように表面実装部品２０の配線基板１へのはんだ接合と、はんだバンプ２３の形成を同時に行った後、図２のように外観検査し、検査結果が良好なものに対してベアチップ搭載用フラックス塗布した後、ベアチップ搭載工程＃２を実行し、バンプの無いベアチップ４０の電極パッド４１を下向きにしてはんだバンプ２３上に載せる（電極パッド４１をバンプ２３に対面させる）。その状態で、リフロー炉に通炉してはんだリフローを実行することにより、図１（Ｃ）のように配線基板１上にベアチップ４０をフリップチップ接合（フェースダウンはんだ接合）する。
【００４５】
その後は、必要ならば洗浄、アンダーフィル（ベアチップと配線基板間の隙間に充填する接着材等）塗布、アンダーフィル硬化、検査の各工程を経て配線基板上に表面実装部品とベアチップの両者を搭載した部品が得られる。
【００４６】
本実施の形態によれば、従来から使用されているスクリーン印刷装置とマスク開口の内壁面粗さを滑らかにして（好ましくはＲａ≦０．３μｍ）、はんだ量のばらつきを抑えた印刷マスクを使用し、バンプ形成用と表面実装部品接合用のクリームはんだを同時に印刷し、その後の工程で表面実装部品の搭載、リフローを行うことで、基板上に表面実装部品のはんだ付けが終了し、かつフリップチップ接合用の極小のはんだバンプが形成された状態にすることが可能である。この工法は、ＳＭＴの印刷工程で基板側にフリップチップ接合用はんだを供給、リフローでバンプ形成するため、パワーアンプモジュール等に使用されるＧａＡｓ等の非常に脆い化合物半導体のベアチップであってもベアチップ側にバンプ加工を行わなくともフリップチップ実装が可能となる。従ってウエハー側への負荷が軽減でき、且つ高価な専用設備と治具を必要としないので、製造コストも低減させることができる。
【００４７】
また、図７の湿式洗浄用布５０と乾式ペーパー５６と吸引ユニット５５による印刷マスク３０の清掃によって、微小印刷用のマスク清掃が可能である。
【００４８】
以上本発明の実施の形態について説明してきたが、本発明はこれに限定されることなく請求項の記載の範囲内において各種の変形、変更が可能なことは当業者には自明であろう。
【図面の簡単な説明】
【００４９】
【図１】本発明の実施の形態であって、表面実装部品及びベアチップの搭載手順を示す説明図である。
【図２】本発明の実施の形態における表面実装部品とベアチップの実装工程フロー図である。
【図３】本発明の実施の形態で使用する印刷マスクの断面図である。
【図４】印刷マスクの開口形状であって、（Ａ）は従来形状、（Ｂ）は本実施の形態の開口形状を示す平面図である。
【図５】本実施の形態で用いる印刷マスクの開口寸法であって、（Ａ）は電極パッドが円形、（Ｂ）は電極パッドが方形の場合に対応した開口寸法の例を示す平面図である。
【図６】配線基板の固定方法であって、（Ａ）は全面受け構造の基板固定テーブルの側面図、（Ｂ）はポイント受け構造の基板固定テーブルの側面図、（Ｃ）は本実施の形態で採用する掘り込み基板固定テーブルの側断面図である。
【図７】本発明の実施の形態における印刷マスク清掃方法を示す構成図である。
【符号の説明】
【００５０】
１  配線基板
２，３，４１  電極パッド
５  基板固定テーブル
６  支持手段
１２  表面実装部品用クリームはんだ印刷層
１３  バンプ用クリームはんだ印刷層
２０  表面実装部品
２３  はんだバンプ
３０  印刷マスク
３２  表面実装接合用開口
３３  バンプ接合用開口
４０  ベアチップ
５０  洗浄用布
５１  ノズル
５２  溶剤
５５  吸引ユニット
５６  乾式ペーパー
５８  下部ユニット
【図１】
2006272970.tif 000004
【図２】
2006272970.tif 000005
【図３】
2006272970.tif 000006
【図４】
2006272970.tif 000007
【図５】
2006272970.tif 000008
【図６】
2006272970.tif 000009
【図７】
2006272970.tif 000010